(57)【要約】【課題】フィンプレートの清掃が清掃装置により行われても、熱交換効率が劣化したり、清掃装置に損傷を負わせたりすることのない熱交換器およびその製造方法を得ることを目的とする。【解決手段】互いに平行に配列された多数枚のフィンプレート１２Ａと、フィンプレート１２Ａと一体に配設された冷媒配管と、を有し、多数枚のフィンプレート１２Ａの間を空気が貫流し、フィンプレート１２Ａの空気入口側の一辺縁部に接触しつつフィンプレート１２Ａの配列方向に移動する清掃装置によりフィンプレート１２Ａの空気入口側の一辺縁部が清掃される空気調和機の熱交換器であって、フィンプレート１２Ａのそれぞれは、空気入口側の縁部にフィンプレート１２Ａの配列方向の一側に突出するバリ・かえり１２ｂを有し、曲げ部１２ａがフィンプレート１２Ａの空気入口側の一辺側をフィンプレートの配列方向の一側に折り曲げて形成されている。【選択図】図３
2008298321.tif 000002
【特許請求の範囲】
【請求項１】
所定のピッチで互いに平行に配列された多数枚のフィンプレートと、多数枚の上記フィンプレートを貫通して上記フィンプレートと一体に配設された冷媒配管と、を有し、上記多数枚のフィンプレートの間を空気が貫流し、上記フィンプレートの空気入口側の一辺縁部に接触しつつ上記フィンプレートの配列方向に移動する清掃装置により上記フィンプレートの空気入口側の一辺縁部が清掃される空気調和機の熱交換器であって、
上記フィンプレートのそれぞれは、空気入口側の縁部に該フィンプレートの配列方向の一側に突出する突起部を有し、曲げ部が上記フィンプレートの空気入口側の一辺側を上記フィンプレートの配列方向の一側に折り曲げて形成されていることを特徴とする熱交換器。
【請求項２】
上記曲げ部の上記フィンプレートの主面に対する曲げ角度が１０度以上３０度未満であることを特徴とする請求項１記載の熱交換器。
【請求項３】
所定のピッチで互いに平行に配列された多数枚のフィンプレートと、多数枚の上記フィンプレートを貫通して上記フィンプレートと一体に配設された冷媒配管と、を有し、上記多数枚のフィンプレートの間を空気が貫流し、上記フィンプレートの空気入口側の一辺縁部に接触しつつ上記フィンプレートの配列方向に移動する清掃装置により上記フィンプレートの空気入口側の一辺縁部が清掃される空気調和機の熱交換器であって、
縁部コーティング層が、上記フィンプレートの空気入口側の一辺縁部を覆うように形成されていることを特徴とする熱交換器。
【請求項４】
上記縁部コーティング層は撥水性を有することを特徴とする請求項３記載の熱交換器。
【請求項５】
親水性の主面コーティング層が、上記縁部コーティング層から露出する上記フィンプレートの表面の全面に形成されていることを特徴とする請求項４記載の熱交換器。
【請求項６】
上記フィンプレートのそれぞれは、空気入口側の縁部に該フィンプレートの配列方向の一側に突出する突起部を有し、曲げ部が上記フィンプレートの空気入口側の一辺側を上記フィンプレートの配列方向の一側に折り曲げて形成されていることを特徴とする請求項３乃至請求項５のいずれか１項に記載の熱交換器。
【請求項７】
請求項３乃至請求項５のいずれか１項に記載の熱交換器の製造方法であって、
上記フィンプレートのそれぞれを、上記冷媒配管と一体化させた後に、上記フィンプレートの空気入口側の縁部に上記縁部コーティング層を形成する工程を有することを特徴とする熱交換器の製造方法。
【請求項８】
請求項７に記載の熱交換器の製造方法であって、
撥水性の上記縁部コーティング層を形成する工程に先立って、上記親水性の主面コーティング層を上記フィンプレートの上記主面に形成する工程を有することを特徴とする熱交換器の製造方法。
【発明の詳細な説明】
【技術分野】
【０００１】
この発明は、熱交換器の清掃装置を備えた空気調和機等に搭載される熱交換器およびその製造方法に関するものである。
【背景技術】
【０００２】
従来の熱交換器の清掃装置は、微少間隔を隔てて配列された多数のフィンプレートの間隙を流過する気体と多数のフィンプレートに固着されたチューブ内を流過する流体とを熱交換させる熱交換器に対し、外周面に汚れを吸着する粘着剤の被膜を有する粘着ロールテープと、この粘着ロールテープをフィンプレートの気体入口側先端に接触させながら転動させる駆動機構と、を設けて構成されている（例えば、特許文献１参照）。
そして、駆動機構は、空気調和機の累積運転時間が設定時間に達する毎に周期的に粘着ロールテープを転動させるように制御されている。これにより、フィンプレートの気体入口側に付着した塵埃が粘着ロールテープの粘着剤に吸着されて熱交換器から取り除かれていた。
【０００３】
【特許文献１】特開平１０−３３９６００号公報
【発明の開示】
【発明が解決しようとする課題】
【０００４】
一般的な熱交換器は、厚み０．１ｍｍ程度の金属板をプレスにより打ち抜いて形成された多数のフィンプレートが微小間隔を隔てて配列されて構成されている。つまり、フィンプレートの厚さが薄いので、フィンプレートの外縁は鋭利に尖っており、また、量産効率の観点からフィンプレートが打ち抜きにより形成される場合、フィンプレートの外縁にはバリ・かえり等の凹凸が形成されている。
従って、このような熱交換器に対して従来の熱交換器の清掃装置を用いて清掃を行うと、粘着ロールテープは、フィンプレートの気体入口側の外縁（先端）に接触しながら転動するので、粘着ロールテープに傷がついてしまう問題がある。また、粘着ロールテープの強度をフィンプレート以上に高めて上記問題に対応した場合、フィンプレートの気体入口側の外縁が変形されたり、磨耗されたりして熱交換効率が劣化するという問題がある。
【０００５】
この発明は上記の課題を解決するためになされたものであり、フィンプレートの清掃が清掃装置により行われても、熱交換効率が劣化したり、清掃装置に損傷を負わせたりすることのない熱交換器およびその製造方法を得ることを目的とする。
【課題を解決するための手段】
【０００６】
この発明は、所定のピッチで互いに平行に配列された多数枚のフィンプレートと、多数枚のフィンプレートを貫通してフィンプレートと一体に配設された冷媒配管と、を有し、多数枚のフィンプレートの間を空気が貫流し、フィンプレートの空気入口側の一辺縁部に接触しつつフィンプレートの配列方向に移動する清掃装置によりフィンプレートの空気入口側の一辺縁部が清掃される空気調和機の熱交換器において、フィンプレートのそれぞれは、空気入口側の縁部に該フィンプレートの配列方向の一側に突出する突起部を有し、曲げ部がフィンプレートの空気入口側の一辺側をフィンプレートの配列方向の一側に折り曲げて形成されている。
【発明の効果】
【０００７】
この発明の熱交換器によれば、清掃装置の粘着ロールテープが、空気入口側の一辺側に加圧状態に接触しながら転動しても、鋭利に尖ったバリ・かえりの先端に当接することが回避され、熱交換器の空気入口側の一辺を清掃したときに、粘着ロールテープに荒れ、損耗を負わせることを抑制することができる。
【発明を実施するための最良の形態】
【０００８】
以下、この発明を実施するための最良の形態について、図面を参照して説明する。
実施の形態１．
図１はこの発明の実施の形態１に係る室内熱交換器を備える空気調和機において冷媒の流れを説明するための模式図、図２はこの発明の実施の形態１に係る室内熱交換器を備える空気調和機の要部を示す一部破断斜視図、図３はこの発明の実施の形態１に係る室内熱交換器の空気入口側の横断面図である。
【０００９】
図１において、空気調和機１は、室外機２と室内機８、および室外機２と室内機８を結合する冷媒配管１１を備えている。
そして、室外機２は、室外熱交換器３、圧縮機４、室外ファン５、四方弁６、および膨張弁７などを備え、室内機８は、熱交換器としての室内熱交換器９Ａ、および室内ファン１０などを備えている。
四方弁６は４つの接続口を有し、そのうちの２つの接続口が圧縮機４の冷媒流入口と冷媒排出口に接続され、残りの２つが室外熱交換器３または室内熱交換器９Ａに冷媒配管１１を介して接続されている。そして、冷媒配管１１が、四方弁６、室外熱交換器３、膨張弁７、室内熱交換器９Ａを通過する循環路を形成するように、室内機８及び室外機２の各構成機器間に接続され、冷媒が冷媒配管１１中を循環移動するようになっている。そして、四方弁６を切り替えることで、圧縮機４に出入りする冷媒の向きはそのままで、冷媒の循環方向を空気調和機１の冷房運転時と暖房運転時とで逆にすることが可能になっている。
【００１０】
次いで、空気調和機１の冷房運転時と暖房運転時の冷媒の流れについてそれぞれ説明する。なお、図１中、冷房運転時の冷媒の循環方向が実線の矢印で示され、暖房運転時の冷媒の循環方向が点線の矢印で示されている。
空気調和機１の冷房運転時には、四方弁６は実線で示されるように、圧縮機４の冷媒排出側を室外熱交換器３に接続し、圧縮機４の冷媒流入側を室内熱交換器９Ａに接続している。そして、冷媒は低温低圧の気体の状態で圧縮機４に吸入されて圧縮され、高温高圧となって、室外熱交換器３へ送られ、室外熱交換器３で冷却されて液体化する。
【００１１】
次に、液体化した冷媒は膨張弁７に送られ、膨張弁７で気化しやすいように減圧されて、膨張弁７と室内機８とを接続する冷媒配管１１を通って、室内熱交換器９Ａに送られる。液体化した冷媒は、室内熱交換器９Ａの内部を通過する冷媒配管１１の内部で室温によって温められて気化され、室内の熱を奪い、室内熱交換器９Ａと圧縮機４を接続する冷媒配管１１を通って四方弁６を介して再び圧縮機４へと戻るように循環する。また、室外ファン５および室内ファン１０のそれぞれが、空気調和機１の運転中、室外熱交換器３および室内熱交換器９Ａに気流を絶えず貫流させており、室外熱交換器３と室外の空気または室内熱交換器９Ａと室内の空気との熱交換が効率よく行われている。
【００１２】
また、空気調和機１の暖房運転時には、四方弁６は点線で示されるように、圧縮機４の冷媒排出側を室内熱交換器９Ａに接続し、圧縮機４の冷媒流入側を室内熱交換器９Ａに接続するように切り替えられており、冷媒は冷房運転時とは逆方向に循環している。即ち、冷媒は低温低圧の気体の状態で圧縮機４に吸入されて圧縮され、高温高圧の状態で四方弁６と室内熱交換器９Ａとを連結する冷媒配管を通って室内熱交換器９Ａに送られる。そして、冷媒は室内熱交換器９Ａの内部を通過する際に、室内に熱を放出するとともに液化し、室内熱交換器９Ａと室外機２とを接続する冷媒配管１１を介して膨張弁７に送られる。そして、冷媒は気化しやすいように膨張弁７で減圧されて、室外熱交換器３に送られる。そして、冷媒は室外熱交換器３で気化するときに外気の熱を吸収し、四方弁６を介して再び圧縮機４に戻るように循環する。
【００１３】
次に、室内熱交換器９Ａの構成および室内熱交換器９Ａの清掃装置１５について図２を参照しつつ説明する。
なお、室内熱交換器９Ａを備える空気調和機の構成は、室内熱交換器９Ａのフィンプレート（後述）の構造を除いて、特開平１０−３３９６００号公報の空気調和機と同様に構成されているので、ここでは、清掃装置によるフィンプレートの清掃に関する部分に特化して説明する。
【００１４】
室内熱交換器９Ａは、冷媒配管１１、および多数枚のフィンプレート１２Ａで構成されている。
フィンプレート１２Ａは、厚さ０．１ｍｍ、外形が長方形のアルミニウム平板により構成されている。
そして、多数枚のフィンプレート１２Ａは、例えば、約２ｍｍ程度の微小なピッチで、主面が互いに平行になるように板厚方向に配列されている。このとき、１本の冷媒配管１１が、配列されたフィンプレート１２Ａ群を複数回貫通するように蛇行し、フィンプレート１２Ａのそれぞれが冷媒配管１１に固着されている。
【００１５】
そして、前述した室内ファン（図示せず）が、図中の白抜き矢印に示されるように、フィンプレート１２Ａのそれぞれの長辺の一辺（空気入口側の一辺）から長辺の他辺（空気出口側の一辺）に向かうように、室内熱交換器９Ａに室内の空気を貫流させている。これにより、熱交換が、室内熱交換器９Ａの表面とその近傍を通過する空気との間で効率よく行われる。
【００１６】
また、清掃装置１５は、粘着ロールテープ１６、回転軸１７、歯車１８、ラック１９、モータ２０、ガイドレール２２、およびガイドローラ２３等を有している。
粘着ロールテープ１６は、粘着剤の被膜により外周面が覆われている。そして、粘着ロールテープ１６が、フィンプレート１２Ａの空気入口側の一辺縁部に外周面が接触するように配設されている。この粘着ロールテープ１６を同軸に貫通する回転軸１７の上端はモータ２０の出力軸に連結されている。
【００１７】
また、ガイドレール２２及びラック１９のそれぞれは、室内熱交換器９Ａの空気入口側の上端及び下端側のそれぞれに、フィンプレート１２Ａの配列方向に沿ってフィンプレート１２Ａのそれぞれから所定の隙間をあけてそれぞれ配置されている。なお、ガイドレール２２は、室内熱交換器９Ａの下方に配設されたドレンパン（図示せず）に固定され、ラック１９は空気調和機のケース本体２４に固定されている。
また、歯車１８が、粘着ロールテープ１６とモータ２０との間で、回転軸１７に同軸に固定され、さらに、歯車１８はラック１９と噛合されている。
【００１８】
また、ガイドローラ２３が、粘着ロールテープ１６を貫通する回転軸１７の下端に、回転軸１７に同軸に固定され、さらに、ガイドレール２２内に、ガイドレール２２に沿って転動するように嵌装されている。
そして、モータ２０が駆動して回転軸１７が回転されると、回転軸１７の軸周りに粘着ロールテープ１６、歯車１８、およびガイドローラ２３が回転する。このとき、歯車１８は、ラック１９と噛合されているので、ラック１９の延設方向に沿って移動し、ガイドローラ２３がガイドレール２２に嵌装されているので、粘着ロールテープ１６はガイドレール２２に案内されて、フィンプレート１２Ａの配列方向に移動する。このとき、粘着ロールテープ１６がフィンプレート１２Ａの空気入口側の一辺縁部（端部）に接触しながら移動する。これにより、フィンプレート１２Ａの空気入口側に付着した塵埃は、粘着ロールテープ１６の外周面に形成された被膜の粘性により粘着ロールテープ１６側に粘着してフィンプレート１２Ａから除去されるようになっている。即ち、室内熱交換器９Ａの空気入口側の一辺縁部が清掃される。
【００１９】
次いで、室内熱交換器９Ａのフィンプレート１２Ａの構造について詳細に説明する。
図３において、室内熱交換器９Ａのフィンプレート１２Ａは、フィンプレート１２Ａの空気入口側の一辺側をフィンプレート１２Ａの配列方向の一側に曲げられて形成された曲げ部１２ａを有している。また、フィンプレート１２Ａの空気入口側の一辺縁部、即ち、曲げ部１２ａの先端部には、フィンプレート１２Ａの配列方向の一側に突出する突起部としてのバリ・かえり１２ｂが形成されている。このとき、各フィンプレート１２Ａのバリ・かえり１２ｂは、曲げ部１２ａの壁面に対して略垂直に、かつ同じ方向に突出されている。なお、バリ・かえり１２ｂはアルミニウムの薄板を打ち抜いてフィンプレート１２Ａを長方形に成形したことに起因して形成されるものである。また、主面コーティング層１３が、親水性のコーティング剤によりアルミニウムの薄板の表裏両面に形成されている。
【００２０】
なお、フィンプレート１２Ａの空気入口側の一辺側が、突起側に３０度以上曲げられると、室内熱交換器９Ａの圧損が顕在化するので、突起側への曲げ角度は３０度未満であるのが望ましい。
【００２１】
また、バリ・かえり１２ｂが曲げ部１２ａの壁面に対して略垂直な方向に形成されるとした。実際には、プレスによる打ち抜きにより形成されるバリ・かえり１２ｂの先端は、フィンプレート１２Ａの材料であるアルミニウムが有する塑性により、打ち抜き方向よりフィンプレート１２Ａの外方に向かう場合がある。つまり、バリ・かえり１２ｂの先端は、曲げ部１２ａの壁面に垂直な方向より、フィンプレート１２Ａの外方に向かう場合がある。この場合、バリ・かえり１２ｂの先端が、フィンプレート１２Ａの空気入口側の一辺縁部に粘着ロールテープ１６の外周面が接触する際、粘着ロールテープ１６の外周面と対峙する方向に向けられる。従って、曲げ部１２ａは、フィンプレート１２Ａの主面に対してバリ・かえり１２ｂの形成側に、ある程度余裕を持った角度で曲げられているのが好ましく、具体的には曲げ部１２ａは、フィンプレート１２Ａの主面に対して１０度以上の角度で曲げられているのが好ましい。
【００２２】
この実施の形態１の室内熱交換器９Ａでは、フィンプレート１２Ａのそれぞれが、外形縁部にフィンプレート１２Ａの配列方向の一側にフィンプレート１２Ａの主面から略垂直に突出するバリ・かえり１２ｂを有している。また、曲げ部１２ａが、フィンプレート１２Ａの空気入口側の一辺側をフィンプレート１２Ａの配列方向の一側に、即ち、バリ・かえり１２ｂが突出する方向に折り曲げて形成されている。従って、曲げ部１２ａを形成したことにより、バリ・かえり１２ｂの先端が、室内熱交換器９Ａの空気入口側の一辺側に接触する粘着ロールテープ１６の外周面から離反される。これにより、粘着ロールテープ１６が、空気入口側の一辺側に加圧状態に接触しながら転動しても、鋭利に尖ったバリ・かえり１２ｂの先端に当接することが回避され、室内熱交換器９Ａの空気入口側の一辺を清掃したときに、粘着ロールテープ１６に荒れ、損耗を負わせることが抑制される。
【００２３】
なお、上記説明では、主面コーティング層１３をフィンプレート１２Ａの表裏両面に形成するものとして説明したが、主面コーティング層１３はフィンプレート１２Ａの表裏両面に形成されていないものでもよい。但しフィンプレート１２Ａの表裏両面に親水性の主面コーティング層１３が形成された場合は、フィンプレート１２Ａに結露した多量の水分が水滴となって、フィンプレート１２Ａ間にブリッジを形成することがなくなる。即ち、フィンプレート１２Ａに結露した水分は、スムーズにフィンプレート１２Ａの表裏両面に濡れ広がってドレンパンに滴下されるので、長時間水分が留まることによるフィンプレート１２Ａの腐食を抑制する効果がある。
【００２４】
次いで、室内熱交換器９Ａの製造方法について述べる。
まず、後述の工程で打ち抜かれるアルミニウム製の薄板の部位の表面全域に、セルロース系樹脂、ポリビニルアルコール系樹脂、及びアミド系樹脂などの親水性の樹脂をコーティング剤として用いて主面コーティング層１３を形成する。そして、アルミニウムの薄板をプレスにより打ち抜いて、フィンプレート１２Ａを所望の形状に成形する。また、プレスの押圧力を利用して、フィンプレート１２Ａのうち、フィンプレート１２Ａの空気入口側の一辺側をフィンプレート１２Ａの主面に対して所定の角度に曲げて曲げ部１２ａを形成している。このとき、同時にバリ・かえり１２ｂも曲げ部１２ａの壁面に対して略垂直な方向に突出するように形成されている。
【００２５】
所望の枚数のフィンプレート１２Ａが用意された後、各フィンプレート１２Ａを空気入口側の一辺側を同じ側に向け、かつ、プレスの打ち抜き方向を揃えて（バリ・かえり１２ｂの突出方向を揃えて）、フィンプレート１２Ａの表裏両面が互いに平行になるように所定ピッチで配列する。そして、冷媒配管１１とフィンプレート１２Ａとを一体化させることにより室内熱交換器９Ａが得られる。
【００２６】
実施の形態２．
図４はこの発明の実施の形態２に係る室内熱交換器の空気入口側の横断面図である。
図４において、室内熱交換器９Ｂのフィンプレート１２Ｂの空気入口側の一辺側には、縁部コーティング層１４が当該一辺縁部を覆うように形成されている。このとき、縁部コーティング層１４から露出するフィンプレート１２Ｂの表面には全面に親水性の主面コーティング層１３が施されている。
なお、他の構成は上記実施の形態１と同様に構成されているが、曲げ部１２ａは形成されていなくてもよい。
また、フィンプレート１２Ｂの材料であるアルミニウムに比べて熱伝導性の低い縁部コーティング層１４の領域を大きくし過ぎると、室内熱交換器９Ｂの熱交換効率を低下させる。従って、室内熱交換器９Ｂの熱交換効率の低下を抑制するために、縁部コーティング層１４は、フィンプレート１２Ｂの空気入口側の一辺縁部から１０ｍｍ以下の幅の領域に形成されているのが好ましく、さらに好ましくは、５ｍｍ以下の幅の領域である。なお、幅方向は、フィンプレート１２Ｂの短辺の長さ方向とする。
【００２７】
縁部コーティング層１４の形成に用いるコーティング剤は特に限定されるものではなく、撥水性または親水性のどちらでもよい。なお、撥水性と親水性とは明確に定義されるものではないが、ここでは、フィンプレート１２Ｂにコーティングを施したときに、フィンプレート１２Ｂ表面の水の接触角が８０度以上であるものを撥水性であるものとする。
【００２８】
親水性のコーティング剤としては、セルロース系樹脂、ポリビニルアルコール系樹脂、ポリオレフィン系樹脂、及びアミド系樹脂等を用いることができる。また、撥水性のコーティング剤としては各種フッ素樹脂、アクリル樹脂、メタクリル樹脂、ポリエステル、ポリスチレン、ポリプロピレン（ＰＰ）樹脂、四フッ化エチレン樹脂（ＰＴＦＥ樹脂）、シリコーン樹脂、ポリアミド、ポリウレタン、ポリオレフィン系樹脂等を用いることができる。なお、コーティング剤には、各種架橋剤、界面活性剤、抗菌剤、および抗カビ剤等を含有させてもよい。
【００２９】
なお、上記説明では、各種コーティング剤を親水性と撥水性とにわけて列記したが、上記コーティング剤が一般的な使われ方で用いられた場合について分別したものであり、コーティング剤の親水性および撥水性は、コーティング剤に用いる樹脂の重合度や、コーティング剤に添加された架橋剤などの添加物の種類により変化する。即ち、上記列記したような各種コーティング剤でフィンプレート１２Ｂをコーティングした場合、添加物の種類などにより、コーティングされたフィンプレート１２Ｂの表面における水の接触角は変位する。つまり、同種のコーティング剤を用いても、フィンプレート１２Ｂの親水性と撥水性が入れ替わることもある。
【００３０】
この実施の形態２の室内熱交換器９Ｂでは、フィンプレート１２Ｂの空気入口側の一辺縁部を覆うように縁部コーティング層１４が形成されている。従って、フィンプレート１２Ｂの空気入口側の一辺縁部に急峻な凹凸形状がなくなり、フィンプレート１２Ｂの空気入口側の一辺縁部に接触しながら粘着ロールテープ１６が転動されても、粘着ロールテープ１６に荒れ、損耗を負わせることが抑制される。
【００３１】
また、空気中の塵埃のほとんどは、親水性のセルロースからなるものであるので、フィンプレート１２Ｂの空気入口側の一辺側に、撥水性の縁部コーティング層１４を形成した場合には、セルロースとの親和性が低くなり、フィンプレート１２Ｂの空気入口側の一辺における塵埃付着抑制効果を高める効果が得られる。
【００３２】
次いで、室内熱交換器９Ｂにおいて、フィンプレート１２Ｂの空気入口側の塵埃の付着抑制効果が高められることによる効果を述べる。室内熱交換器９Ｂの空気入口側では、フィンプレート１２Ｂのピッチをまたぐような塵埃が、フィンプレート１２Ｂの空気入口側の一辺縁部に付着すると、気流と共に移動されなくなる。このとき、フィンプレート１２Ｂの空気入口側で塵埃の付着抑制効果が高められていない場合、フィンプレート１２Ｂの空気入口側に付着したままとなった塵埃に、後から空気入口側に流入される小さな塵埃が漸次付着し、塵埃はフィンプレート１２Ｂにも付着して空気出口側に漸次連なる。しかし、フィンプレート１２Ｂの空気入口側の先端の塵埃の付着抑制効果が高められると、フィンプレート１２Ｂの空気入口側の先端に付着した塵埃が空気出口側に向かって連なることが抑制される。
【００３３】
次いで、室内熱交換器９Ｂの製造方法について述べる。
まず、後述の工程で打ち抜かれるアルミニウム製の薄板の部位の表面全域に、セルロース系樹脂、ポリビニルアルコール系樹脂、及びアミド系樹脂などの親水性の樹脂をコーティング剤として用いて主面コーティング層１３を形成する。そして、アルミニウムの薄板をプレスにより打ち抜いて、フィンプレート１２Ｂを所定の形状に成形する。また、プレスの押圧力を利用して、フィンプレート１２Ｂのうち、フィンプレート１２Ｂの空気入口側の一辺側をフィンプレート１２Ｂの主面に対して所定の角度に曲げて曲げ部１２ａを形成している。このとき、同時にバリ・かえり１２ｂも曲げ部１２ａの壁面に対して略垂直な方向に突出するように形成されている。
【００３４】
所望の枚数のフィンプレート１２Ｂが用意された後、各フィンプレート１２Ｂを空気入口側の一辺側を同じ側に向け、かつ、フィンプレート１２Ｂを成形した際のプレスの打ち抜き方向を揃えて、フィンプレート１２Ｂの表裏両面が互いに平行になるように所定ピッチで配列する。そして、冷媒配管１１とフィンプレート１２Ｂとを一体化させる。
【００３５】
次いで、フィンプレート１２Ｂのうち、空気入口側の一辺側の縁部を覆うように縁部コーティング層１４を形成することにより、室内熱交換器９Ｂが得られる。このとき、縁部コーティング層１４は、フィンプレート１２Ｂの空気入口側の一辺縁部から所定の幅の領域に形成されている。
【００３６】
縁部コーティング層１４の形成方法は、特に限定されるものではないが、上記各種コーティング剤のいずれかを溶質として各種溶媒に溶かした溶液や、コーティング剤を溶媒に分散させた分散液（以降、コーティング液と記載する）をローラや刷毛等でフィンプレート１２Ｂに塗布した後乾燥させる方法、また、コーディング液を孔版、凹版、平板、凸版等などを用いてフィンプレート１２Ｂに印刷した後乾燥させる方法、インクジェットやスプレー等でコーティング粒子をフィンプレート１２Ｂに付着させた後乾燥させる方法、熱可塑性のフィルム状のコーティング剤をフィンプレート１２Ｂに固着して加熱したり、熱可塑性の接着剤をフィンプレート１２Ｂに塗布した後加熱したりして融着させる方法等がある。
【００３７】
ローラ等でコーティング液を塗布する方法や各種印刷法は、フィンプレート１２Ｂの空気入口側の一辺側の端部のみに縁部コーティング層１４を形成するのに適している。熱可塑性のフィルム状のコーティング剤を端部に固着して加熱することで融着させる方法は、フィンプレート１２Ｂの空気入口側の一辺の端面に対して厚膜の縁部コーティング層１４を形成するのに適している。インクジェットやスプレー等のコーティング粒子を付着させる方法は、フィンプレート１２Ｂの外周端部だけでなく、空気入口側の空気入口側の一辺から空気出口側に入り込むように縁部コーティング層１４を形成するのに適している。
なお、上記室内熱交換器９Ｂの製造方法では、フィンプレート１２Ｂの成形時に同時に曲げ部１２ａを形成するものとして説明したが、曲げ部１２ａは形成しなくてもよい。
【００３８】
この実施の形態２の室内熱交換器９Ｂの製造方法では、フィンプレート１２Ｂのそれぞれが、表裏両面が互いに平行に、かつ所定ピッチで配列した状態で冷媒配管１１と一体化させた状態にしてから縁部コーティング層１４を形成している。従って、多数枚のフィンプレート１２Ｂの空気入口側の一辺の縁部コーティング層１４の形成が一度に行えるので、冷媒配管１１と一体化させる前のフィンプレート１２Ｂの一枚一枚に対して個別に縁部コーティング層１４を形成するのに比べて、コーティングに係る作業効率を向上させることができる。
【００３９】
また、撥水性の縁部コーティング層１４を形成する前に、フィンプレート１２Ｂの主面に親水性の主面コーティング層１３が形成されているので、縁部コーティング層１４を形成するためのコーティング液がフィンプレート１２Ｂの主面に沿って拡張することを抑制する効果が得られ、フィンプレート１２Ｂの空気入口側の一辺側のみに撥水性の縁部コーティング層１４を形成したい場合に有益である。
【００４０】
なお、この実施の形態２では、縁部コーティング層１４はフィンプレート１２Ｂの空気入口側の一辺を覆うように形成するものとして説明したが、縁部コーティング層１４はフィンプレート１２Ｂの空気入口側の一辺を覆うように形成するものに限定されない。フィンプレート１２Ｂを成形する際、アルミニウムの薄板に主面コーティング層１３が形成されている場合、バリ・かえり１２ｂが形成されたフィンプレート１２Ｂの外縁部の端面にはコーティングはされておらず、また、バリ・かえり１２ｂが形成された部分の主面コーティング層１３がはがれることもある。主面コーティング層１３のないフィンプレート１２Ｂの縁部端面や、主面コーティング層１３が、はがれた部位の腐食を防止したりしたい場合には、必要に応じてフィンプレート１２Ｂの外縁のすべてに縁部コーティング層１４を形成してもよい。
【００４１】
なお、上記各実施の形態では、室内機８に配設された清掃装置１５により清掃される室内熱交換器９Ａ，９Ｂに対して曲げ部１２ａや縁部コーティング層１４を形成させるものとして説明したが、室外機２に室外熱交換器３を清掃する清掃装置が配設されている場合には、室外熱交換器３に対しても本発明を適用できる。
【００４２】
また、清掃装置の粘着ロールテープ１６が室内熱交換器９Ａ，９Ｂのフィンプレート１２Ａ，１２Ｂにおける空気入口側の一辺に接触しつつ移動されて、フィンプレート１２Ａ，１２Ｂにおける空気入口側の一辺に付着した塵埃が除去されるものとして説明した。しかしながら、フィンプレート１２Ａ，１２Ｂにおける空気入口側の一辺に付着した塵埃を除去するための手段は粘着ロールテープ１６に限定されず、ブラシなどでもよい。この場合、ブラシがバリ・かえり１２ｂの先端により損耗される。
【００４３】
本発明の効果を実験により確認したので、以下にその内容を具体的に説明する。
図５は比較例１の室内熱交換器の空気入口側の横断面図である。
なお、以下の実施例１〜実施例３の室内熱交換器は、上記実施の形態１に記載した室内熱交換器の製造方法により製造し、実施例４〜実施例１０の室内熱交換器は上記実施の形態２に記載した室内熱交換器の製造方法により製造した。
また、以下の実施例１〜実施例１０及び比較例１および比較例２の室内熱交換器に用いられているフィンプレートは、すべて主面コーティング層が形成されているものを用いている。また、実施例１〜実施例６、および比較例２におけるフィンプレートの空気入口側の一辺側の曲げ部は、フィンプレートにおける空気入口側の一辺縁部から空気出口側に１ｃｍの部位を折り曲げて形成されている。
【００４４】
実施例１．
フィンプレートとして、曲げ部がフィンプレートの主面に対して１５度の角度を有するように、バリ・かえりが形成された側（以降、突起側と記載する）にフィンプレートの空気入口側の一辺側を折り曲げて形成されたものを用いて室内熱交換器を得た。
【００４５】
実施例２．
フィンプレートとして、曲げ部がフィンプレートの主面に対して２０度の角度を有するように、フィンプレートの空気入口側の一辺側を突起側に折り曲げて形成されたものを用いて室内熱交換器を得た。
【００４６】
実施例３．
フィンプレートとして、曲げ部がフィンプレートの主面に対して３０度の角度を有するように、フィンプレートの空気入口側の一辺側を突起側に折り曲げて形成されたものを用いて室内熱交換器を得た。
【００４７】
実施例４．
フィンプレートとして、曲げ部がフィンプレートの主面に対して２０度の角度を有するように、フィンプレートの空気入口側の一辺側を突起側に折り曲げて形成され、さらに、空気入口側の一辺縁部から空気出口側に５ｍｍの幅の領域に、縁部コーティング層が形成されたものを用いて室内熱交換器を得た。なお、縁部コーティング層の形成に用いられたコーティング剤は撥水性のＰＴＦＥ（四フッ化エチレン樹脂）である。
【００４８】
実施例５．
フィンプレートとして、曲げ部がフィンプレートの主面に対して２０度の角度を有するように、フィンプレートの空気入口側の一辺側を突起側に折り曲げて形成され、さらに、フィンプレートの空気入口側の一辺縁部から５ｍｍの幅の領域に、縁部コーティング層が形成されたものを用いて室内熱交換器を得た。なお、縁部コーティング層の形成に用いられたコーティング剤は撥水性のシリコーン樹脂である。
【００４９】
実施例６．
フィンプレートとして、曲げ部が主面に対して２０度の角度を有するように、フィンプレートの空気入口側の一辺側が突起側に折り曲げて形成され、さらに、フィンプレートの空気入口側の一辺縁部から５ｍｍの幅の領域に、縁部コーティング層が形成されたものを用いて室内熱交換器を得た。なお、縁部コーティング層の形成に用いられたコーティング剤は、撥水性のＰＰ樹脂（ポリプロピレン樹脂）である。
【００５０】
実施例７．
フィンプレートとして、フィンプレートの空気入口側の一辺縁部から３ｍｍの幅の領域に、撥水性のポリスチレンを溶質、トルエンを溶媒とした質量パーセント濃度３０％の溶液をローラにより塗布した後、乾燥させることにより縁部コーティング層が形成されたものを用いて室内熱交換器を得た。
【００５１】
実施例８．
フィンプレートとして、フィンプレートの空気入口側の一辺から空気出口側の一辺縁部から１ｍｍの幅の領域に、撥水性樹脂からなるホットメルト接着剤（倉敷紡績株式会社：型名  クラベンダー１５１０）を熱風で溶融させ冷却することにより縁部コーティング層が形成されたものを用いて室内熱交換器を得た。
【００５２】
実施例９．
フィンプレートとして、フィンプレートの空気入口側の一辺縁部から１１ｍｍの幅の領域に、撥水性のポリスチレンを溶質、トルエンを溶媒とした質量パーセント濃度３０％の溶液をローラにより塗布した後、乾燥させることにより縁部コーティング層が形成されたものを用いて室内熱交換器を得た。
【００５３】
実施例１０．
フィンプレートとして、フィンプレートの空気入口側の一辺縁部から５ｍｍの幅の領域に縁部コーティング層が形成されたものを用いて室内熱交換器を得た。なお、縁部コーティング層の形成に用いられたコーティング剤は、撥水性のポリオレフィン系樹脂である。
【００５４】
比較例１．
フィンプレートの空気入口側の一辺の曲げ部の形成を行わない点を除き、実施の形態１と同様の室内熱交換器の製造方法で、図５に示される比較例１の室内熱交換器２５を得た。即ち、比較例１の室内熱交換器２５のフィンプレート２６には、空気入口側の一辺側は、曲げ部および縁部コーティング層が形成されておらず、親水性の主面コーティング層のみが形成されている。また、ばり、かえり２６ａが、フィンプレート２６の主面に対して略垂直な方向に形成される。
【００５５】
比較例２．
フィンプレートとして、その空気入口側の一辺を突起側と反対側に折り曲げられて、曲げ部が主面に対して５度の角度で形成される点を除いて実施の形態１と同様の室内熱交換器の製造方法で室内熱交換器を得た。
【００５６】
次に、実施例１〜実施例１０、比較例１及び比較例２の各室内熱交換器に対して以下の試験を行った。
まず、イソプロピレンゴム製の擬似ローラを用意した。この擬似ローラは、前述の粘着ロールテープ１６と同等程度の強度を有するものであり、粘着ロールテープ１６の代替品として用いた。そして、実施例１〜実施例１０、比較例１及び比較例２の室内熱交換器に対し、空気入口側の一辺側の縁部に、一定の荷重を印加しつつ擬似ローラを１００往復させ、擬似ローラの表面の荒れ、損耗程度を観測した。試験結果を表１に示す。
【００５７】
【表１】
2008298321.tif 000003
【００５８】
表１には、実施例１〜１０、比較例１及び比較例２に対し、フィンプレートの空気入口側の一辺側の曲げ加工の有無（曲げ部の有無）、曲げ部が有る場合には、その曲げ方向とフィンプレートの主面に対する曲げ角度（角度と記載）、縁部コーティング層の形成の有無、縁部コーティング層が形成されている場合には、フィンプレートの空気入口側の一辺からの縁部コーティング層の幅（コーティング領域の幅）、およびコーティング剤の種類を記載している。そして、擬似ローラの表面の荒れ、損耗程度が、比較例１に対して極端に少ない場合を◎（優判定）、比較例１に対して若干少ない場合を○（良判定）、比較例１と同程度である場合を△（可判定）、比較例１に対して多い場合には×（不可判定）と記している。
【００５９】
表１に示されるように、フィンプレートの空気入口側の一辺側に突起側に曲げられた曲げ部および縁部コーティング層の少なくとも一方が形成されている実施例１〜１０のいずれの場合でも、擬似ローラの荒れ、損耗程度が、比較例１に比べて軽減され、中でも、フィンプレートの空気入口側の一辺側に曲げ部と縁部コーティング層の両方が形成された実施例４〜実施例６では、擬似ローラの荒れ、損耗程度が比較例１に対して特に軽減されていた。一方、フィンプレートの空気入口側の一辺側が突起側とは反対方向に曲げられた比較例２では、擬似ローラの荒れ、損耗程度が比較例１に対してさらに増大していた。
【００６０】
次いで、上記試験結果について検討する。
フィンプレートの空気入口側の一辺側が突起側に曲げられた実施例１〜実施例３では、図３に示されるようにバリ・かえりがフィンプレートの曲げ部に対して略垂直な方向に形成されている。即ち、バリ・かえりの先端が、擬似ローラのフィンプレートへの接触面から離反されている。一方、比較例１は、曲げ部が形成されていないので、バリ・かえりの先端が擬似ローラの外周面に接触されたままとなる。
【００６１】
従って、曲げ部が形成されていない比較例１では、擬似ローラが一方の方向に向かうときに尖ったバリ・かえりの先端が擬似ローラに圧力を与えるように接触するので、擬似ローラの荒れ、損耗程度が増大するものと判断される。これに対し、実施例１〜実施例３の室内熱交換器では、曲げ部が、バリ・かえりの先端を擬似ローラのフィンプレートへの接触面から離反させる方向に形成されているので、擬似ローラを往復移動させたときに、尖ったバリ・かえりの先端が擬似ローラに接触することが防止されて、擬似ローラの荒れ、損耗程度が小さくなるものと判断される。
【００６２】
また、フィンプレートの空気入口側の一辺側に縁部コーティング層が形成された実施例７〜実施例１０では、フィンプレートを打ち抜きにより形成したことによる尖った先端を有するバリ・かえりを含むフィンプレートの空気入り口側の一辺側が、縁部コーティング層により覆われているので、フィンプレートの空気入り口側の一辺側の凹凸形状が滑らかにされている。
【００６３】
また、比較例２では、突起側とは反対側に曲げられて曲げ部が形成されているので、バリ・かえりの先端面が、擬似ローラが当該バリ・かえりの形成部分を通過するときに擬似ローラの接触面と対峙され、擬似ローラの外周面は、バリ・かえりの先端から比較例１以上に圧力が負荷される。
【００６４】
従って、実施例７〜実施例１０の室内熱交換器では、フィンプレートの空気入口側の一辺縁部に接触しつつ移動しても、バリ・かえりを含むフィンプレートの空気入口側の一辺縁部の凹凸が縁部コーティング層に覆われて滑らかにされているので、急峻な凹凸形状を有するフィンプレートの空気入口側の一辺縁部に直接接触しながら擬似ローラが移動される比較例１に比べて擬似ローラの荒れ、損耗程度が小さくなるものと判断される。さらに、比較例２の室内熱交換器では、バリ・かえりの先端が、擬似ローラの外周面に対してさらに圧力を負荷する状態で接触しながら移動されるので、比較例１よりさらに擬似ローラの荒れ、損耗程度が増大されたものと判断される。
【００６５】
また、フィンプレートの空気入口側の一辺側に突起側に曲げられた曲げ部および縁部コーティング層が形成された実施例４〜実施例６の室内熱交換器では、曲げ部を突起側に曲げること及び縁部コーティング層を形成することにより得られる上記した擬似ローラの荒れ、損耗を低減させる効果が同時に発揮されるので、比較例１に対して著しく擬似ローラの荒れ、損耗が低減されたものと判断できる。
【００６６】
次いで、擬似ローラを各室内熱交換器から離し、単体の各室内熱交換器に対して風速１ｍ／秒の気流を室内熱交換器の空気入口側から吹出側に気流を流した。このとき、気流は空気調和機の冷房運転時における条件と同等の条件で室内熱交換器を貫流するように流し、また、気流にはセルロースとの一種である綿布を裁断して作製した塵埃を室内熱交換器の空気入口側に流入させた。そして、気流を１時間流した後、塵埃の付着量、及びフィンプレートに水滴が形成されたか否かを観測した。なお、塵埃の大半は、親水性のセルロースからなるものであるので、今回の観測にもセルロースの一種である綿布を用いた。この結果、フィンプレートの空気入口側の一辺側に撥水性の縁部コーティング層が形成された実施例４〜実施例９の室内熱交換器では、縁部コーティング層が形成されていない、または親水性の縁部コーティング層が形成された実施例１〜実施例３、実施例１０、及び比較例１,２に対して、塵埃の付着量が少なくなった。
【００６７】
また、フィンプレートの空気入口側の一辺側に撥水性のコーティング剤を用いて縁部コーティング層を形成した実施例４〜実施例９のうち、実施例４〜実施例７、及び実施例９では縁部コーティング層の形成領域に水滴が確認された。また、実施例９では、フィンプレートのピッチ間で水分が連なるブリッジが、縁部コーティング層の一部に観測された。なお、実施例８では水滴は認められなかった。また、実施例４〜実施例７、及び実施例９のフィンプレートの表面における水の接触角はいずれも９０度以上であった。また、親水性の縁部コーティング層が形成された実施例１０の室内熱交換器のフィンプレートにおける水の接触角は７０度であった。
【００６８】
上記観測結果を検討する。
上述したように、空気中の塵埃のほとんどは、親水性のセルロースからなるものである。実施例４〜実施例９の室内熱交換器は、フィンフィンプレートの空気入口側の一辺に撥水性の縁部コーティング層が形成されているので、セルロースとの親和性が低くなり、縁部コーティング層が形成されていない実施例１〜実施例３、比較例１および比較例２及び親水性の縁部コーティング層が形成された実施例１０に比べて塵埃の付着しづらくなるものと判断される。即ち、フィンプレートの空気入口側の一辺側に対する塵埃の付着抑制効果が高められたことが確認できた。
【００６９】
但し、撥水性のコーティングがフィンプレートに施された実施例４〜実施例９は、上述のようにフィンプレートの空気入口側の一辺への塵埃の付着抑制効果が高められるが、実施例８を除いて縁部コーティング層の形成領域に水滴が認められた。そして、縁部コーティング層が、フィンプレートの空気入口側の一辺縁部から１１ｍｍの幅の領域に形成された実施例９では、縁部コーティング層で結露する水分の量が多すぎて、フィンプレート間で水分が連なってブリッジが形成されたものと判断される。従って、縁部コーティング層の形成領域は、フィンプレートからの水飛び防止のために、フィンプレートの空気入口側の一辺縁部から１０ｍｍ以下の幅の領域に制限されているのが好ましい。なお、実施例８では、撥水性の縁部コーティング層のコーティング領域が狭すぎて、水滴が形成されなかったものと判断される。
【図面の簡単な説明】
【００７０】
【図１】この発明の実施の形態１に係る室内熱交換器を備える空気調和機において冷媒の流れを説明するための模式図である。
【図２】この発明の実施の形態１に係る室内熱交換器を備える空気調和機の要部を示す一部破断斜視図である。
【図３】この発明の実施の形態１に係る室内熱交換器の空気入口側の横断面図である。
【図４】この発明の実施の形態２に係る室内熱交換器の空気入口側の横断面図である。
【図５】比較例１の熱交換器の空気入口側の横断面図である。
【符号の説明】
【００７１】
１  空気調和機、９Ａ，９Ｂ  室内熱交換器（熱交換器）、１１  冷媒配管、１２Ａ，１２Ｂ  フィンプレート、１２ａ  曲げ部、１２ｂ  バリ・かえり（突起部）、１３  主面コーティング層、１４  縁部コーティング層、１５  清掃装置。
【図１】
2008298321.tif 000004
【図２】
2008298321.tif 000005
【図３】
2008298321.tif 000006
【図４】
2008298321.tif 000007
【図５】
2008298321.tif 000008